(57)【要約】【課題】  輝度ムラを低減することができ、かつ、小型化を図ることが可能な照明装置及びプロジェクタを提供すること。【解決手段】  波長の異なる光を射出する複数種の光源１１Ｒ，１１Ｇ，１１Ｂと、各光源１１Ｒ，１１Ｇ，１１Ｂから射出された光のうち少なくとも２種類の光を共有し互いに逆方向に導光するとともに、照度分布を均一化する導光素子２１，２２，２３と、該導光素子２１，２２，２３の内部に設けられ、導光素子２１，２２，２３の内部を導光する光を波長によって分離した光を導光素子２１，２２，２３の側方に射出させる色分離素子３１，３２，３３とを備えることを特徴とする。【選択図】  図１
2007041301.tif 000002
【特許請求の範囲】
【請求項１】
波長の異なる光を射出する複数種の光源と、
前記各光源から射出された光のうち少なくとも２種類の光を共有し互いに逆方向に導光するとともに、照度分布を均一化する導光素子と、
該導光素子の内部に設けられ、前記導光素子の内部を導光する光を波長によって分離し、前記導光素子の側方に射出させる色分離素子とを備えることを特徴とする照明装置。
【請求項２】
前記導光素子が複数設けられ、
前記複数の導光素子間に、前記導光素子の内部を導光する光の光路を曲げる光路変換素子が設けられていることを特徴とする請求項１に記載の照明装置。
【請求項３】
前記複数種の光源から射出された光を合成する色合成手段を備え、該色合成手段の異なる入射面に空間光変調装置が配置されたプロジェクタに用いられる照明装置であって、
前記導光素子が、前記色合成手段の入射面に沿って屈曲して配置されていることを特徴とする請求項１または請求項２に記載の照明装置。
【請求項４】
前記光源と前記導光素子との間に配され、前記光源から射出された射出光の偏光方向を一方向に変換する偏光変換光学素子を備えることを特徴とする請求項３に記載の照明装置。
【請求項５】
前記色分離素子により反射された光が射出する前記導光素子の射出面に、特定の振動方向の偏光光を透過させ、前記特定の振動方向とは異なる他の振動方向の偏光光を反射する射出側反射型偏光素子を備えることを特徴とする請求項３または請求項４に記載の照明装置。
【請求項６】
前記導光素子の入射面に配置されるとともに、前記射出側反射型偏光素子により反射した光のうち特定の振動方向の偏光光を透過させ、前記特定の振動方向とは異なる他の振動方向の偏光光を反射する入射側反射型偏光素子を備えることを特徴とする請求項５に記載の照明装置。
【請求項７】
請求項１から請求項６のいずれか１項に記載の照明装置と、
該照明装置から射出された光を画像信号に応じて変調する空間光変調装置と、
該空間光変調装置により変調された光を投射する投射装置とを備えることを特徴とするプロジェクタ。
【発明の詳細な説明】
【技術分野】
【０００１】
本発明は、照明装置及びプロジェクタに関する。
【背景技術】
【０００２】
従来から画像表示装置に用いられる照明装置は、小型で明るく、しかも照明光の照度分布が均一であることが望まれる。この照明装置の照明光としては、光源として例えば発光ダイオード等の固体光源から射出される光を平行化したものを主に用いている。一般的に、発光部分には輝度ムラが生じているため、輝度ムラを低減させ輝度分布を均一化させるような光学系が必要となっている。このため、フライアレイインテグレータやロッドレンズ等の強度分布均一化手段を有する照明装置を用い、光源から射出された光の強度分布を均一化することにより、表示特性を向上させている（例えば、特許文献１及び特許文献２参照。）。このように、ロッドレンズ等を用いることにより、これらに入射する光の輝度ムラは、内部反射により重ね合わされることにより抑えられ、強度分布均一化手段から射出される際、高い均一性を有する輝度分布となる。
【特許文献１】特開２０００−１８０９６２号公報
【特許文献２】特開平１０−２６９８０２号公報
【発明の開示】
【発明が解決しようとする課題】
【０００３】
しかしながら、上述した特許文献１及び特許文献２に記載の照明装置では、光源から射出された光の高い均一性を得るために、強度分布均一化手段の内部において、複数回の反射が必要となる。このため、強度分布均一化手段を長くして、ダイクロイックプリズム（色合成手段）の入射面に対して垂直に配置しなければならない。これにより、照明装置が大型化してしまうという問題が生じる。
【０００４】
本発明は、上記の課題を解決するためになされたものであって、輝度ムラを低減することができ、かつ、小型化を図ることが可能な照明装置及びプロジェクタを提供することを目的とする。
【課題を解決するための手段】
【０００５】
上記目的を達成するために、本発明は、以下の手段を提供する。
本発明の照明装置は、波長の異なる光を射出する複数種の光源と、前記各光源から射出された光のうち少なくとも２種類の光を共有し互いに逆方向に導光するとともに、照度分布を均一化する導光素子と、該導光素子の内部に設けられ、前記導光素子の内部を導光する光を波長によって分離し、前記導光素子の側方に射出させる色分離素子とを備えることを特徴とする。
【０００６】
本発明に係る照明装置では、光源から射出された光は導光素子の内部を進行する。このとき、導光素子は少なくとも２種類の波長の光を共有して導光し、これらの光の導光方向は、互いに逆方向である。そして、これらの光を色分離素子により導光素子の側方から射出させる。これにより、従来のように、各波長ごとに導光素子を配置し、導光素子を導光した光を入射面に対向する射出面から射出させる場合に比べ、照明装置の小型化を図るとともに、それぞれの波長の光の光路長を長く確保することができる。したがって、導光素子の内部で反射回数を増やした後、色分離素子によりそれぞれの波長の光を色分離させることで、照明装置から射出される照明光の輝度ムラを低減することが可能となる。
【０００７】
また、本発明の照明装置は、前記導光素子が複数設けられ、前記複数の導光素子間に、前記導光素子の内部を導光する光の光路を曲げる光路変換素子が設けられていることが好ましい。
本発明に係る照明装置では、導光素子を複数設けることにより、光路長を長く確保することができるとともに、光路変換素子により、導光素子の内部を導光する光の光路を折り曲げることができるので、導光素子が直線的に長くなるのを防ぐことができる。したがって、装置の小型化を図り、かつ、導光素子の内部で反射回数を増やし、照明装置から射出される照明光の輝度ムラを低減することが可能となる。
【０００８】
また、本発明の照明装置は、前記複数種の光源から射出された光を合成する色合成手段を備え、該色合成手段の異なる入射面に空間光変調装置が配置されたプロジェクタに用いられる照明装置であって、前記導光素子が、前記色合成手段の入射面に沿って屈曲して配置されていることが好ましい。
本発明に係る照明装置では、導光素子を色合成手段の入射面に沿って屈曲して配置することで、従来のように、色合成手段の異なる入射面に対して導光素子を垂直に配置する場合に比べ、より小型な照明装置を得ることができる。
【０００９】
また、本発明の照明装置は、前記光源と前記導光素子との間に配され、前記光源から射出された射出光の偏光方向を一方向に変換する偏光変換光学素子を備えることが好ましい。
本発明に係る照明装置では、光源から射出された光は、偏光変換光学素子に入射する。このとき、偏光変換光学素子により、偏光変換光学素子から射出される光は、偏光方向が一方向に揃えられた後、導光素子の内部を導光し、空間光変調装置に向かって射出される。このように、光源から射出された射出光の偏光方向は揃えられているため、空間光変調装置を通過する際、色合成手段により合成される光量を落とすことがないので、光利用効率を高めることができる。
【００１０】
また、本発明の照明装置は、前記色分離素子により反射された光が射出する前記導光素子の射出面に、特定の振動方向の偏光光を透過させ、前記特定の振動方向とは異なる他の振動方向の偏光光を反射する射出側反射型偏光素子を備えることが好ましい。
本発明に係る照明装置では、光源から射出された光は、導光素子を導光した後、色分離素子により分離され、反射される。そして、色分離素子により反射された光が射出する導光素子の射出面に設けられた反射型偏光素子に入射する。このとき、反射型偏光素子に入射した光のうち特定の振動方向の偏光光は透過し、空間光変調装置に向かう。これに対して、特定の振動方向以外の他の振動方向の光は、反射型偏光素子で反射され光源方向に向かう。反射型偏光素子から光源側に向かった光は、光源で反射され、再び導光素子に向かって進行する。これにより、反射型偏光素子を透過した光及び光源により反射した後反射型偏光素子を透過した光は、特定の方向に振動する光に揃えられているので、光利用効率の高い照明光を得ることが可能となる。
【００１１】
また、本発明の照明装置は、前記導光素子の入射面に配置されるとともに、前記射出側反射型偏光素子により反射した光のうち特定の振動方向の偏光光を透過させ、前記特定の振動方向とは異なる他の振動方向の偏光光を反射する入射側反射型偏光素子を備えることが好ましい。
【００１２】
本発明に係る照明装置では、光源から射出された光は、入射側反射型偏光素子に入射する。このとき、特定の振動方向の偏光光は透過し、特定の振動方向以外の他の振動方向の光は反射する。特定の振動方向の偏光光は導光素子の内部を導光した後、色分離素子により分離され、分離された光は射出側反射型偏光素子に入射する。そして、射出側反射型偏光素子に入射した光のうち特定の振動方向の偏光光は透過し、空間光変調装置に向かう。これに対して、特定の振動方向以外の他の振動方向の光は、射出側反射型偏光素子で反射され導光素子の入射面に向かう。射出側反射型偏光素子から導光素子の入射面に向かった光は、導光素子の入射面に設けられた入射側反射型偏光素子により反射され、再び導光素子の内部を進行する。これにより、射出側反射型偏光素子を透過した光及び入射側反射型偏光素子により反射した後射出側反射型偏光素子を透過した光は、導光素子の内部で特定の方向に振動する光に揃えられる。このように、導光素子の内部において、光源から射出された光のリサイクル効率が向上するとともに、反射回数を増やすことができるので、さらに輝度ムラを低減することが可能となる。
【００１３】
本発明のプロジェクタは、上記の照明装置と、該照明装置から射出された光を画像信号に応じて変調する空間光変調装置と、該空間光変調装置により変調された光を投射する投射装置とを備えることを特徴とする。
本発明に係るプロジェクタでは、照明装置より射出された光は空間光変調装置に入射される。そして、空間光変調装置により変調された画像が、投射装置によって投射される。このとき、照明装置より射出される光は、上述したように、輝度ムラが低減されているので、空間光変調装置を通過する際、明るさが均一な画像を投射することが可能となる。
【発明を実施するための最良の形態】
【００１４】
以下、本発明の実施形態につき、図面を参照して説明する。なお、以下の説明に用いる各図面では、各部材を認識可能な大きさとするため、各部材の縮尺を適宜変更している。
【００１５】
［第１実施形態の照明装置］
次に、本発明の第１実施形態について、図１を参照して説明する。
本実施形態の照明装置１０は、図１に示すように、画像信号に応じた光をスクリーン７０に投射するプロジェクタ１に用いられるものである。
【００１６】
プロジェクタ１は、赤色光（以下、「Ｒ光」という。）を射出するＲ光用照明装置１０Ｒと、緑色光（以下、「Ｇ光」という。）を射出するＧ光用照明装置１０Ｇと、青色光（以下、「Ｂ光」という。）を射出するＢ光用照明装置１０Ｂと、それぞれの照明装置１０Ｒ、１０Ｇ、１０Ｂから射出されたＲ光、Ｇ光、Ｂ光の輝度を画像信号に応じて変調する透過型液晶ライトバルブ（空間光変調装置）４０Ｒ、４０Ｇ、４０Ｂと、変調された各色光を合成してカラー画像とするダイクロイックプリズム（色合成手段）５０と、ダイクロイックプリズム５０から射出されたカラー画像をスクリーン７０に投射する投射レンズ（投射装置）６０とを備えている。
【００１７】
Ｒ光用照明装置１０Ｒは、Ｒ光用ＬＥＤ（光源）１１Ｒと、Ｒ光用ＬＥＤ１１Ｒから射出された光を集光させる集光光学系１２Ｒとを備えている。
また、Ｇ光用照明装置１０Ｇ，Ｂ光用照明装置１０Ｂも同様に、Ｇ光用ＬＥＤ（光源）１１Ｇ，Ｂ光用ＬＥＤ（光源）１１Ｂと、Ｇ光用ＬＥＤ１１Ｇ，Ｂ光用ＬＥＤ１１Ｂから射出された光を集光させる集光光学系１２Ｇ，集光光学系１２Ｂとを備えている。さらに、照明装置１０は、それぞれの照明装置１０Ｒ,１０Ｇ，１０Ｂから射出された光の照度分布を均一化する導光部２０を備えている。なお、集光光学系１２Ｒ，１２Ｇ，１２Ｂは省略しても良い。
【００１８】
導光部２０は、ダイクロイックプリズム５０のＧ光入射面５０ａに沿って配置された第１ロッドインテグレータ（導光素子）２１と、Ｒ光入射面５０ｂに沿って配置された第２ロッドインテグレータ（導光素子）２２と、Ｂ光入射面５０ｃに沿って配置された第３ロッドインテグレータ（導光素子）２３とを備えている。
また、第１ロッドインテグレータ２１の入射面２１ａには、Ｂ光用ＬＥＤ１１Ｂから射出されたＢ光が入射するようになっており、第３ロッドインテグレータ２３の入射面２３ａには、Ｇ光用ＬＥＤ１１Ｇから射出されたＧ光が入射するようになっている。さらに、第２ロッドインテグレータ２２の透過型液晶ライトバルブ４０Ｒ側の内側面２２ａと対向する外側面２２ｂには、第４ロッドインテグレータ２４が設けられている。この第４ロッドインテグレータ２４の入射面２４ａには、Ｒ光用ＬＥＤ１１Ｒから射出された光が入射するようになっている。
また、第１〜第４ロッドインテグレータ２１〜２４は、中実のガラスや樹脂などの透明な部材でできている。
【００１９】
第１ロッドインテグレータ２１と第２ロッドインテグレータ２２との間には、第１三角プリズム（光路変換素子）２５が設けられており、この三角プリズム２５により、第１ロッドインテグレータ２１から第２ロッドインテグレータ２２に向かう光、あるいは、第２ロッドインテグレータ２２から第１ロッドインテグレータ２１に向かう光の光路が９０度変換されるようになっている。
また、第２ロッドインテグレータと第３ロッドインテグレータとの間には、光分離用ダイクロイックプリズム（光路変換素子）２６が設けられている。また、第４ロッドインテグレータには、第４ロッドインテグレータから光分離用ダイクロイックプリズム２６に向かう光を９０度変換する入射させる第２三角プリズム２７が設けられている。
【００２０】
光分離用ダイクロイックプリズム２６は、第２三角プリズム２７から射出されたＲ光を第２ロッドインテグレータ２２に反射させる第１分離面２６ａと、第２ロッドインテグレータ２２から射出されたＢ光を第３ロッドインテグレータ２３に反射させ、かつ、第３ロッドインテグレータ２３から射出されたＧ光を第２ロッドインテグレータ２２に反射させる第２分離面２６ｂとを有する。
なお、第１分離面２６ａはＧ光及びＢ光を透過させ、第２分離面２６ｂはＲ光を透過させるものである。
【００２１】
次に、各ロッドインテグレータ２１，２２，２３を導光する光の導光方向について説明する。
第１ロッドインテグレータ２１は、Ｂ光及びＧ光を共有し、Ｂ光用ＬＥＤ１１Ｂから射出されたＢ光の導光方向は、−Ｘ方向に進行し、Ｇ光用ＬＥＤ１１Ｇから射出されたＧ光の導光方向は、Ｂ光の導光方向とは逆方向、すなわち、＋Ｘ方向に進行する。
第２ロッドインテグレータ２２は、Ｂ光，Ｇ光及びＲ光を共有し、Ｇ光用ＬＥＤ１１Ｇから射出されたＧ光及びＲ光用ＬＥＤ１１Ｒから射出されたＲ光の導光方向は、＋Ｙ方向に進行し、Ｂ光用ＬＥＤ１１Ｂから射出されたＢ光の導光方向は、Ｇ光及びＲ光の導光方向とは逆方向、すなわち、−Ｙ方向に進行する。
第３ロッドインテグレータ２３は、Ｂ光及びＧ光を共有し、の内部を導光する光のうちは、Ｇ光用ＬＥＤ１１Ｇから射出されたＧ光の導光方向は、−Ｘ方向に進行し、Ｂ光用ＬＥＤ１１Ｂから射出されたＢ光の導光方向は、Ｇ光の導光方向とは逆方向、すなわち、＋Ｘ方向に進行する。
【００２２】
さらに、第１ロッドインテグレータ２１の内部には、透過型液晶ライトバルブ４０Ｇの近傍、すなわち、透過型液晶ライトバルブ４０Ｇの入射面４１Ｇに対向して第１ダイクロイックミラー（色分離素子）３１が設けられている。この第１ダイクロイックミラー３１は、第１ロッドインテグレータ２１の内部を導光する光を波長によって分離するものであり、Ｂ光を透過させ、Ｇ光を反射させるものである。そして、反射されたＧ光は、第１ロッドインテグレータ２１の側方、すなわち、第１ロッドインテグレータ２１の内側面２１ｂに射出され、透過型液晶ライトバルブ４０Ｇに入射されるようになっている。
また、第２ロッドインテグレータ２２の内部には、透過型液晶ライトバルブ４０Ｒの近傍、すなわち、透過型液晶ライトバルブ４０Ｒの入射面４１Ｒに対向して第２ダイクロイックミラー（色分離素子）３２が設けられている。この第２ダイクロイックミラー３２は、第２ロッドインテグレータ２２の内部を導光する光を波長によって分離するものであり、Ｇ光及びＢ光を透過させ、Ｒ光を反射させるものである。そして、反射されたＲ光は、第２ロッドインテグレータ２２の側方、すなわち、第２ロッドインテグレータ２２の内側面２２ａに射出され、透過型液晶ライトバルブ４０Ｒに入射されるようになっている。
また、第３ロッドインテグレータ２３の内部には、透過型液晶ライトバルブ４０Ｂの近傍、すなわち、透過型液晶ライトバルブ４０Ｂの入射面４１Ｂに対向して第３ダイクロイックミラー（色分離素子）３３が設けられている。この第３ダイクロイックミラー３３は、第３ロッドインテグレータ２３の内部を導光する光を波長によって分離するものであり、Ｇ光を透過させ、Ｂ光を反射させるものである。そして、反射されたＢ光は、第３ロッドインテグレータ２３の側方、すなわち、第３ロッドインテグレータ２３の内側面２３ｂに射出され、透過型液晶ライトバルブ４０Ｂに入射されるようになっている。
【００２３】
クロスダイクロイックプリズム５０は、Ｂ光を反射し、Ｇ光及びＲ光を透過させるダイクロイック膜と、Ｇ光を反射し、Ｂ光及びＲ光を透過させるダイクロイック膜とをＸ字型に直交して配置して構成されている。クロスダイクロイックプリズム５０は、各透過型液晶ライトバルブ４０Ｒ、４０Ｇ、４０Ｂでそれぞれ変調されたＲ光、Ｇ光及びＢ光を合成する。クロスダイクロイックプリズム５０で合成された光は、投射レンズ６０によってスクリーン７０へ投射される。
【００２４】
次に、以上の構成からなる本実施形態のプロジェクタ１を用いて、画像をスクリーン７０に投射する方法について説明する。
まず、Ｂ光用ＬＥＤ１１Ｂから射出された青色光についての作用を説明する。Ｂ光用照明装置１０ＢのＢ光用ＬＥＤ１１Ｂに電流が供給されると、図１に示すように、Ｂ光用ＬＥＤ１１ＢからＢ光が集光光学系１２Ｂに向けて射出される。
【００２５】
そして、第１ロッドインテグレータ２１の入射面２１ａから入射したＢ光は、内部を導光し、第１三角プリズム２５において反射して第２ロッドインテグレータ２２に入射する。次いで、第２ロッドインテグレータ２２を導光したＢ光は、光分離用ダイクロイックプリズム２６の第２分離面２６ｂにおいて反射し、第３ロッドインテグレータ２３に入射する。そして、第３ロッドインテグレータ２３を導光したＢ光は、第３ロッドインテグレータ２３に設けられた第３ダイクロイックミラー３３により反射して、透過型液晶ライトバルブ４０Ｂに入射し、その後、プロジェクタ１に入力された映像信号に基づいて変調され、ダイクロイックプリズム５０のＢ光入射面５０ｃに向けて射出される。
【００２６】
次に、Ｇ光用ＬＥＤ１１Ｇから射出された緑色光についての作用を説明する。Ｇ光用照明装置１０ＧのＧ光用ＬＥＤ１１Ｇに電流が供給されると、図１に示すように、Ｇ光用ＬＥＤ１１ＧからＧ光が集光光学系１２Ｇに向けて射出される。
【００２７】
そして、第３ロッドインテグレータ２３の入射面２３ａから入射したＧ光は、内部を導光し、光分離用ダイクロイックプリズム２６の第２分離面２６ｂにおいて反射して第２ロッドインテグレータ２２に入射する。次いで、第２ロッドインテグレータ２２を導光したＧ光は、第１三角プリズム２５において反射し、第１ロッドインテグレータ２１に入射する。そして、第１ロッドインテグレータ２１を導光したＧ光は、第１ロッドインテグレータ２１に設けられた第１ダイクロイックミラー３１により反射して、透過型液晶ライトバルブ４０Ｇに入射し、その後、プロジェクタ１に入力された映像信号に基づいて変調され、ダイクロイックプリズム５０のＧ光入射面５０ａに向けて射出される。
【００２８】
次に、Ｒ光用ＬＥＤ１１Ｒから射出された赤色光についての作用を説明する。Ｇ光用照明装置１０ＲのＧ光用ＬＥＤ１１Ｒに電流が供給されると、図１に示すように、Ｇ光用ＬＥＤ１１ＲからＲ光が集光光学系１２Ｒに向けて射出される。
【００２９】
そして、第４ロッドインテグレータ２４の入射面２４ａから入射したＲ光は、内部を導光し、光分離用ダイクロイックプリズム２６の第１分離面２６ａにおいて反射して第２ロッドインテグレータ２２に入射する。次いで、第２ロッドインテグレータ２２を導光したＲ光は、第２ロッドインテグレータ２２に設けられた第２ダイクロイックミラー３２により反射して、透過型液晶ライトバルブ４０Ｒに入射し、その後、プロジェクタ１に入力された映像信号に基づいて変調され、ダイクロイックプリズム５０のＲ光入射面５０ｂに向けて射出される。
【００３０】
ダイクロイックプリズム４０に入射したＲ光，Ｇ光，Ｂ光が、青色光を反射する青色光反射ダイクロイック膜と緑色光を反射する緑色光反射ダイクロイック膜とによって合成されてカラー画像を表す光が形成され、投射レンズ６０に向けて射出される。投射レンズ６０は、カラー画像を表す光をスクリーン７０に向けて拡大投射して、カラー画像を表示する。
【００３１】
本実施形態に係る照明装置１０Ｒ、１０Ｇ、１０Ｂによれば、Ｂ光用ＬＥＤ１１Ｂから射出したＢ光及びＧ光用ＬＥＤ１１Ｇから射出したＧ光は、ダイクロイックプリズム５０の入射面５０ａ，５０ｂ，５０ｃに沿ってコ字状に進行する。また、Ｒ光用ＬＥＤ１１Ｒから射出したＲ光は、第４ロッドインテグレータ２４及び第２ロッドインテグレータ２２を進行する。このように、Ｒ光，Ｇ光，Ｂ光のうち少なくとも２種類の波長の光が第１，第２，第３ロッドインテグレータ２１，２２，２３を共有し、第１，第２，第３ロッドインテグレータ２１，２２，２３を導光する光のうち１種類の波長の光の導光方向を、他の種類の波長の光の導光方向に対して逆方向に進行させることにより、各色光ごとにロッドインテグレータを配置する場合に比べ、それぞれの波長の光の光路長を長く確保することができる。したがって、第１，第２，第３ロッドインテグレータ２１，２２，２３の内部で反射回数を増やした後、第１，第２，第３ダイクロイックミラー３１，３２，３３によりそれぞれの波長の光を色分離させることで、照明装置１０Ｒ、１０Ｇ、１０Ｂから射出される照明光の照度分布が均一化され、照明光の輝度ムラを改善することが可能となる。さらに、プロジェクタ１に上述したような照明装置１０ｒ、１０ｇ、１０ｂを用いることで、輝度ムラが低減された照明光を得ることができ、透過型液晶ライトバルブ４０Ｒ、４０Ｇ、４０Ｂを通過する際、明るさが均一な画像を投射することが可能となる。
【００３２】
［第２実施形態の照明装置］
次に、本発明に係る第２実施形態について、図２を参照して説明する。なお、以下に説明する各実施形態において、上述した第１実施形態に係るプロジェクタ１と構成を共通とする箇所には同一符号を付けて、説明を省略することにする。
本実施形態に係るプロジェクタ８０は、Ｒ光用ＬＥＤ１１Ｒの配置において第１実施形態と異なる。すなわち、本実施形態では、導光部２０が、集光光学系１２Ｒ，第４ロッドインテグレータ２４及び第２三角プリズム２６を用いない点及びＲ光用ＬＥＤ１１ＲをＢ光用ＬＥＤ１１Ｂと並列して配置する点において、第１実施形態と異なる。
【００３３】
第１ロッドインテグレータ２１の入射面２１ａには、Ｂ光用ＬＥＤ１１Ｂ及びＲ光用ＬＥＤ１１Ｒから射出されたＲ光が、集光光学系１２Ｂを介して入射するようになっている。また、第２ロッドインテグレータ２２と第３ロッドインテグレータ２３との間には、光分離用ダイクロイックプリズム２６に代えて、第２三角プリズム（光路変換素子）８１が設けられており、この第２三角プリズム８１により、第２ロッドインテグレータ２２から第３ロッドインテグレータ２３に向かう光、あるいは、第３ロッドインテグレータ２３から第２ロッドインテグレータ２２に向かう光の光路が９０度変換されるようになっている。
【００３４】
次に、各ロッドインテグレータ２１，２２，２３を導光する光の導光方向について説明する。
また、第１ロッドインテグレータ２１の内部を導光する光のうち、Ｂ光用ＬＥＤ１１Ｂ及びＲ光用ＬＥＤ１１Ｒから射出されたＢ光及びＲ光の導光方向は、−Ｘ方向に進行し、Ｇ光用ＬＥＤ１１Ｇから射出されたＧ光の導光方向は、Ｂ光及びＲ光の導光方向とは逆方向、すなわち、＋Ｘ方向に進行する。
第２ロッドインテグレータ２２の内部を導光する光のうち、Ｇ光用ＬＥＤ１１Ｇから射出されたＧ光の導光方向は、＋Ｙ方向に進行し、Ｂ光用ＬＥＤ１１Ｂ及びＲ光用ＬＥＤ１１Ｒから射出されたＢ光及びＲ光の導光方向は、Ｇ光の導光方向とは逆方向、すなわち、−Ｙ方向に進行する。
【００３５】
次に、以上の構成からなる本実施形態のプロジェクタ８０を用いて、画像をスクリーン７０に投射する方法について説明する。
なお、Ｇ光用ＬＥＤ１１Ｇ，Ｂ光用ＬＥＤ１１Ｂから射出された各色光は、光分離用ダイクロイックプリズム２６に代えて、第２三角プリズム８１において反射する点意外は、第１実施形態と同様であるので、Ｒ光用ＬＥＤ３１Ｒから射出された赤色光についての作用のみを説明する。
【００３６】
Ｒ光用照明装置１０ＲのＲ光用ＬＥＤ１１Ｒに電流が供給されると、図２に示すように、Ｒ光用ＬＥＤ１１ＲからＲ光が集光光学系１２Ｂに向けて射出される。
そして、第１ロッドインテグレータ２１の入射面２１ａから入射したＲ光は、内部を導光し、第１三角プリズム２５において反射して第２ロッドインテグレータ２２に入射する。次いで、第２ロッドインテグレータ２２を導光したＲ光は、第２ロッドインテグレータ２２に設けられた第２ダイクロイックミラー３２により反射して、透過型液晶ライトバルブ４０Ｒに入射し、その後、プロジェクタ１に入力された映像信号に基づいて変調され、ダイクロイックプリズム５０のＲ光入射面５０ｂに向けて射出される。
【００３７】
本実施形態に係る照明装置１０Ｒ、１０Ｇ、１０Ｂによれば、Ｒ光用ＬＥＤ１１ＲをＢ光用ＬＥＤ１１Ｂと並列して配置し、第１，第２ロッドインテグレータ２１，２２にＲ光を共有させることにより、より小型化することができる。
また、カラー画像を表示する場合、緑色の光量が多く必要であるため、プロジェクタ８０のような構成にすることにより、Ｇ光用ＬＥＤ１１Ｇを多灯にすることができ、より鮮明な画像をスクリーン７０に投射することが可能となる。
【００３８】
［第３実施形態の照明装置］
次に、本発明に係る第３実施形態について、図３及び図４を参照して説明する。
本実施形態に係るプロジェクタ９０は、Ｒ光用照明装置１０Ｒ，Ｇ光用照明装置１０Ｇ，Ｂ光用照明装置１０Ｂが、第１，第３，第４ロッドインテグレータ２１，２３，２４の入射面２１ａ，２３ａ，２４ａにＢ光用偏光変換光学素子（偏光変換光学素子）９１Ｂ，Ｇ光用偏光変換光学素子（偏光変換光学素子）９１Ｇ，Ｒ光用偏光変換光学素子（偏光変換光学素子）９１Ｒがそれぞれ設けられている点において、第１実施形態と異なる。
【００３９】
次に、Ｂ光用偏光変換光学素子９１Ｂの詳細について説明する。
Ｂ光用偏光変換光学素子９１Ｂは、図４に示すように、Ｂ光用ＬＥＤ１１Ｂから射出された射出光を分離するとともに、射出光のうち特定の振動方向の偏光光を透過させ、特定の振動方向とは異なる他の振動方向の偏光光を反射させる偏光分離面９２ａを有する立方体状の偏光分離部９２と、偏光分離面９２ａにより反射した偏光成分を、偏光分離面９２ａにより透過した偏光光と略平行な方向へ反射させる反射面９３ａを有する立方体状の反射部９３と、特定の振動方向の偏光光の光路上に設けられた１／２波長板９４とを備えている。
【００４０】
偏光分離部９２は、特定の振動方向の偏光光、例えばｐ偏光光を透過させ、特定の振動方向とは異なる他の振動方向の偏光光、例えばｓ偏光光を反射させ、偏光分離面９２ａで反射されたｓ偏光光を反射部９３の反射面９３ａに向かって反射させるものである。
【００４１】
さらに、偏光分離部９２は、図４に示すように、Ｂ光用ＬＥＤ３１Ｂから射出された光の光軸Ｏ上に配されている。また、偏光分離部９２に設けられた偏光分離面９２ａと反射面９３に設けられた反射面９３ａとは、光軸Ｏに対して４５度傾斜して配されるとともに、略平行となるように配されている。
反射面９３ａは、光反射率の高い部材、例えば、アルミニウムや銀等の金属部材によって構成されている。また、１／２波長板９４は、反射部９３の射出端面９３ｂに設けられている。なお、１／２波長板９４は、偏光分離部９２の偏光分離面９２ａを透過した偏光光の光路上に配されていても良い。
Ｇ光用偏光変換光学素子９１Ｇ，Ｒ光用偏光変換光学素子９１Ｒについても、Ｂ光用偏光変換光学素子９１Ｂと同一の構成である。
【００４２】
次に、以上の構成からなる本実施形態のプロジェクタ９０を用いて、画像をスクリーン７０に投射する方法について説明する。
なお、Ｒ光用ＬＥＤ１１Ｒ，Ｇ光用ＬＥＤ１１Ｇから射出された光が入射面２４ａ，２３ａに入射する作用については、Ｂ光用ＬＥＤ１１Ｂから射出された光が入射面２１ａに入射する作用と同一であるため、Ｂ光用ＬＥＤ１１Ｂから射出された光についてのみ説明する。
【００４３】
Ｂ光用ＬＥＤ１１Ｂから射出された青色光についての作用を説明する。Ｂ光用照明装置１０ＢのＢ光用ＬＥＤ１１Ｂに電流が供給されると、図３に示すように、Ｂ光用ＬＥＤ１１ＢからＢ光が集光光学系１２Ｂに向けて射出され、集光光学系１２Ｂで集光された後、偏光変換光学素子９１Ｂに入射される。そして、偏光分離部９２の偏光分離面９２ａにおいて、ｐ偏光光のみが透過され、ｓ偏光光は反射部９３の反射面９３ａに向かって反射される。反射面９３ａにおいて反射されたｓ偏光光は、偏光分離面９２ａと反射面９３ａとが略平行に配されているため、偏光分離面９２ａを透過したｐ偏光光と略平行に進行する。次いで、ｓ偏光光は反射部９３の射出端面９３ｂから射出される際、１／２波長板９４により、ｐ偏光光に変換され射出される。このようにして、偏光分離部９２の偏光分離面９２ａにおいて、透過した光及び反射部９３の射出端面９３ｂより射出された光は、偏光方向が揃えられた光となっている。その後、偏光方向が揃えられた光は、第１ロッドインテグレータ２１の入射面２１ａより入射する。その後は、第１実施形態と同様にして、ダイクロイックプリズム５０のＢ光入射面５０ｃに向けて射出される。
【００４４】
本実施形態に係る照明装置１０Ｒ、１０Ｇ、１０Ｂによれば、Ｒ光用ＬＥＤ１１Ｒ，Ｇ光用ＬＥＤ１１Ｇ，Ｂ光用ＬＥＤ１１Ｂから射出された射出光の偏光方向は揃えられているため、透過型液晶ライトバルブ４０Ｒ，４０Ｇ，４０Ｂを通過する際、ダイクロイックプリズム５０により合成される光量を落とすことがないので、光利用効率を高めることができる。
【００４５】
［第４実施形態の照明装置］
次に、本発明に係る第４実施形態について、図５を参照して説明する。
本実施形態に係るプロジェクタ１００は、第１，第３，第４ロッドインテグレータ２１，２３，２４の入射面２１ａ，２３ａ，２４ａに入射側偏光変換光学素子１０１Ｂ，１０１Ｇ，１０１Ｒが設けられ、第１，第２，第３ロッドインテグレータ２１，２２，２３の内側面（射出面）２１ｂ，２２ａ，２３ｂに射出側偏光変換光学素子１０２Ｇ，１０２Ｒ，１０２Ｂがそれぞれ設けられている点において、第１実施形態と異なる。
【００４６】
入射側偏光変換光学素子１０１Ｂ，１０１Ｇ，１０１Ｒは、Ｂ光用，Ｇ光用，Ｒ光用ＬＥＤ１１Ｂ，１１Ｇ，１１Ｒから射出された射出光を分離するとともに、射出光のうち特定の振動方向の偏光光を透過させ、特定の振動方向とは異なる他の振動方向の偏光光を反射させるものである。
また、第１，第２，第３ロッドインテグレータ２１，２２，２３の内側面２１ｂ，２２ａ，２３ｂに設けられた射出側偏光変換光学素子１０２Ｇ，１０２Ｒ，１０２Ｂは、第１，第２，第３ダイクロイックミラー３１，３２，３３から反射された光のうち特定の振動方向の偏光光を透過させ、特定の振動方向とは異なる他の振動方向の偏光光を反射させるものである。
【００４７】
これら偏光変換光学素子としては、具体的には、ワイヤグリッド型偏光フィルタを採用している。このワイヤグリッド型偏光フィルタは、構造複屈折型偏光板の一種であり、透明基板上に形成された金属薄膜に、所定方向に延びる微細なリブ（図示略）が形成された構造を有している。この金属薄膜は、アルミニウムやタングステン等を用いて、蒸着法やスパッタ法によって形成することができる。また微細なリブは、２光束干渉露光法や、電子線描画法、Ｘ線リソグラフィー法等と、エッチングとを組み合わせることによって形成することができる。そして、この微細なリブのピッチは、反射すべき光の波長より短く形成されている。これにより、微細なリブと平行方向の直線偏光を反射し、垂直方向の直線偏光を透過することができるようになっている。このワイヤグリッド型偏光フィルタは、構造が単純なので容易に製造することができる。また、無機素材で構成されるため、極めて耐熱性に優れるとともに、光吸収をほとんど生じない。
【００４８】
また、入射側偏光変換光学素子１０１Ｂは、特定の振動方向の偏光光、例えばｐ偏光光を透過させ、特定の振動方向とは異なる他の振動方向の偏光光、例えばｓ偏光光を反射させるものである。
入射側偏光変換光学素子１０１Ｒ，１０１Ｇ及び射出側偏光変換光学素子１０２Ｇ，１０２Ｒ，１０２Ｂについても、入射側偏光変換光学素子１０１Ｂと同一の構成である。
【００４９】
次に、以上の構成からなる本実施形態のプロジェクタ１００を用いて、画像をスクリーン７０に投射する方法について説明する。
なお、Ｒ光用ＬＥＤ１１Ｒ，Ｇ光用ＬＥＤ１１Ｇから射出された光が入射面２４ａ，２３ａに入射する作用については、Ｂ光用ＬＥＤ１１Ｂから射出された光が入射面２１ａに入射する作用と同一であるため、Ｂ光用ＬＥＤ１１Ｂから射出された光についてのみ説明する。
【００５０】
Ｂ光用ＬＥＤ１１Ｂから射出された青色光についての作用を説明する。Ｂ光用照明装置１０ＢのＢ光用ＬＥＤ１１Ｂに電流が供給されると、図５に示すように、Ｂ光用ＬＥＤ１１ＢからＢ光が集光光学系１２Ｂに向けて射出され、集光光学系１２Ｂで集光された後、入射側偏光変換光学素子１０１Ｂに入射される。そして、ｐ偏光光のみが透過され、ｓ偏光光はＢ光用ＬＥＤ１１Ｂに向かって反射される。透過したｐ偏光光は第１，第２，第３ロッドインテグレータ２１，２２，２３を導光した後、第３ダイクロイックミラー３３により反射され射出側偏光変換光学素子１０２Ｂに入射する。射出側偏光変換光学素子１０２Ｂに入射した緑色光は、リブ（図示略）の延在方向に平行な方向に振動するｓ偏光が反射され、リブ（図示略）の延在方向に垂直な方向（リブが配列する方向）に振動するｐ偏光が透過する。そして、透過型液晶ライトバルブ４０Ｂに入射され、プロジェクタ１００に入力された映像信号に基づいて変調され、ダイクロイックプリズム５０に向けて射出される。
一方、射出側偏光変換光学素子１０２Ｂにおいて反射されたｓ偏光は、再び入射側偏光変換光学素子１０１Ｂに向かって導光する。
【００５１】
本実施形態に係る照明装置１０Ｒ、１０Ｇ、１０Ｂによれば、入射側偏光変換光学素子１０１Ｂ，１０１Ｇ，１０１Ｒと射出側偏光変換光学素子１０２Ｇ，１０２Ｒ，１０２Ｂとの間の光路で、各ロッドインテグレータ２１，２２，２３の内部を導光している間に、各色光の偏光方向が乱れるが、偏光光が循環（リサイクル）する過程において、射出側偏光変換光学素子１０２Ｇ，１０２Ｒ，１０２Ｂで特定の振動方向の偏光光を次々と取り出すことができる。この結果、高い光利用効率で特定の振動方向の偏光光を得ることができる。これにより、特定の振動方向の偏光光を効率良く供給でき、透過型液晶ライトバルブ４０Ｒ、４０Ｇ、４０Ｂを用いるプロジェクタ１に好適な照明装置１０ｒ、１０ｇ、１０ｂを得られるという効果を奏する。
なお、赤色用，緑色用，青色用ＬＥＤ１１Ｒ，１１Ｇ、１１Ｂ側に反射率の高い反射部を設ける場合、入射側偏光変換光学素子１０１Ｂ，１０１Ｇ，１０１Ｒを設けずに、赤色用，緑色用，青色用ＬＥＤ１１Ｒ，１１Ｇ、１１Ｂと射出側偏光変換光学素子１０２Ｇ，１０２Ｒ，１０２Ｂとの間の光路で偏光光をリサイクルさせても良い。
【００５２】
［第５実施形態の照明装置］
次に、本発明に係る第５実施形態について、図６を参照して説明する。
本実施形態に係るプロジェクタ１１０は、第３実施形態のプロジェクタ９０と第４実施形態のプロジェクタ１００とを組み合わせた構成となっている。
すなわち、入力側偏光変換光学素子１０１Ｂの入射側に、偏光変換光学素子９１Ｂを配置する。これにより、Ｂ光用ＬＥＤ１１Ｂから射出し、偏光分離部９２の射出面９２ｂ及び１／２波長板９４の射出面９４ａから通過した光は、入射側偏光変換光学素子１０１Ｂに入射するようになっている。
【００５３】
次に、以上の構成からなる本実施形態のプロジェクタ１１０を用いて、画像をスクリーン７０に投射する方法について説明する。
Ｂ光用ＬＥＤ１１Ｂから射出された青色光についての作用を説明する。Ｂ光用照明装置１０ＢのＢ光用ＬＥＤ１１Ｂに電流が供給されると、図６に示すように、Ｂ光用ＬＥＤ１１ＢからＢ光が集光光学系１２Ｂに向けて射出され、集光光学系１２Ｂで集光された後、偏光変換光学素子９１Ｂに入射される。そして、第３実施形態と同様に、ｐ偏光光のみが、入射側偏光変換光学素子１０１Ｂに入射し、１，第２，第３ロッドインテグレータ２１，２２，２３を導光した後、第３ダイクロイックミラー３３により反射され射出側偏光変換光学素子１０２Ｂに入射する。射出側偏光変換光学素子１０２Ｂに入射した緑色光は、第４実施形態と同様に、ｐ偏光が透過する。
【００５４】
本実施形態に係る照明装置１０Ｒ、１０Ｇ、１０Ｂによれば、偏光変換光学素子９１Ｂと射出側偏光変換光学素子１０２Ｇ，１０２Ｒ，１０２Ｂとの間の光路で、各ロッドインテグレータ２１，２２，２３の内部を導光している間に、各色光の偏光方向が乱れるが、偏光光が循環（リサイクル）する過程において、射出側偏光変換光学素子１０２Ｇ，１０２Ｒ，１０２Ｂで特定の振動方向の偏光光を次々と取り出すことができる。この結果、さらに高い光利用効率で特定の振動方向の偏光光を得ることができる。
【００５５】
［第６実施形態の照明装置］
次に、本発明に係る第６実施形態について、図７を参照して説明する。
本実施形態に係るプロジェクタ１２０は、第１，第２ロッドインテグレータ（導光素子）１２１，１２２が青色光及び赤色光を共有して導光し、インテグレータ１２３が緑色光を独立して導光するようになっている。
第１ロッドインテグレータ１２１と第２ロッドインテグレータ１２２との間には、第１三角プリズム（光路変換素子）１２６が設けられており、この三角プリズム１２６により、第１ロッドインテグレータ１２１から第２ロッドインテグレータ１２２に向かう光、あるいは、第２ロッドインテグレータ１２２から第１ロッドインテグレータ１２１に向かう光の光路が９０度変換されるようになっている。
【００５６】
第１ロッドインテグレータ１２１の内部には、第１ダイクロイックミラー（色分離素子）１３１が設けられており、この第１ダイクロイックミラー１３１は、第１ロッドインテグレータ１２１の内部を導光する光を分離するものであり、Ｂ光を透過させ、Ｒ光を反射させ、透過型液晶ライトバルブ１４０Ｒに入射させるものである。
また、第２ロッドインテグレータ１２２の内部には、第２ダイクロイックミラー（色分離素子）１３２が設けられており、この第２ダイクロイックミラー１３２は、第２ロッドインテグレータ１２２の内部を導光する光を分離するものであり、Ｒ光を透過させ、Ｂ光を反射させ、透過型液晶ライトバルブ１４０Ｂに入射させるものである。
さらに、第３ロッドインテグレータ１２３には、第２三角プリズム１２７が設けられており、第３ロッドインテグレータ１２３を導光した緑色光の光路を９０度変換し、透過型液晶ライトバルブ１４０Ｇに入射させるものである。
【００５７】
次に、以上の構成からなる本実施形態のプロジェクタ１２０を用いて、画像をスクリーン７０に投射する方法について説明する。
まず、Ｂ光用ＬＥＤ１１Ｂから射出された青色光についての作用を説明する。Ｂ光用照明装置１０ＢのＢ光用ＬＥＤ１１Ｂに電流が供給されると、図７に示すように、Ｂ光用ＬＥＤ１１ＢからＢ光が集光光学系１２Ｂに向けて射出される。
第１ロッドインテグレータ１２１を導光した青色光は、第１三角プリズム１２６において反射し、第２ロッドインテグレータ１２２に入射する。そして。第２ロッドインテグレータ１２２を導光したＧ光は、第２ロッドインテグレータ１２２に設けられた第２ダイクロイックミラー１３２により反射して、透過型液晶ライトバルブ１４０Ｂに入射し、その後、プロジェクタ１２０に入力された映像信号に基づいて変調され、ダイクロイックプリズム５０に向けて射出される。
【００５８】
次に、Ｒ光用ＬＥＤ１１Ｒから射出された赤色光についての作用を説明する。Ｒ光用照明装置１０ＲのＲ光用ＬＥＤ１１Ｒに電流が供給されると、Ｒ光用ＬＥＤ１１ＲからＲ光が集光光学系１２Ｒに向けて射出される。
第２ロッドインテグレータ１２２を導光した赤色光は、第１三角プリズム１２６において反射し、第１ロッドインテグレータ１２１に入射する。そして。第１ロッドインテグレータ１２１を導光したＲ光は、第１ロッドインテグレータ１２１に設けられた第１ダイクロイックミラー１３１により反射して、透過型液晶ライトバルブ１４０Ｒに入射し、その後、プロジェクタ１２０に入力された映像信号に基づいて変調され、ダイクロイックプリズム５０に向けて射出される。
【００５９】
さらに、Ｇ光用ＬＥＤ１１Ｇから射出された緑色光についての作用を説明する。Ｇ光用照明装置１０ＧのＲ光用ＬＥＤ１１Ｇに電流が供給されると、Ｇ光用ＬＥＤ１１ＧからＧ光が集光光学系１２Ｇに向けて射出される。
第３ロッドインテグレータ１２３を導光した緑色光は、第２プリズム１２７において反射して、透過型液晶ライトバルブ１４０Ｇに入射し、その後、プロジェクタ１２０に入力された映像信号に基づいて変調され、ダイクロイックプリズム５０に向けて射出される。
【００６０】
本実施形態に係る照明装置１０Ｒ、１０Ｇ、１０Ｂによれば、Ｇ光用ＬＥＤ１１Ｇのみ独立した第３ロッドインテグレータ１２３により導光させることで、赤色光、青色光、緑色光それぞれの光の光路長を長く確保することができるとともに、Ｇ光用ＬＥＤ１１Ｇを多灯にすることができ、より鮮明な画像をスクリーン７０に投射することが可能となる。
【００６１】
なお、本発明の技術範囲は上記実施形態に限定されるものではなく、本発明の趣旨を逸脱しない範囲において種々の変更を加えることが可能である。
例えば、第１〜第４ロッドインテグレータ２１〜２４は、中実のガラスや樹脂などの透明な部材としたが、内面がアルミ蒸着された中空のロッドであっても良い。この構成の場合、第１，第２，第３ダイクロイックミラー３１，３２，３３により反射し、第１、第２、第３ロッドインテグレータ２１，１２１、１２２、２３，１２３より射出する面に、反射した光のみを透過させるミラーを配置すれば良い。
また、第１、第２、第３ロッドインテグレータ２１，１２１、１２２、２３，１２３の入射面が開口部を有するロッドインテグレータであっても良い。この構成の場合、開口部の形状をＲ光，Ｇ光，Ｂ光用ＬＥＤ１１Ｒ，１１Ｇ，１１Ｂと相似形状に形成することにより、それぞれのＬＥＤ１１Ｒ，１１Ｇ，１１Ｂから射出された光を効率良くロッドインテグレータ内部に導光させることが可能となる。
また、上記各実施形態において、Ｒ光用ＬＥＤ１１Ｒ，Ｇ光用ＬＥＤ１１Ｇ，Ｂ光用ＬＥＤ１１Ｂの配置はこれに限るものではない。さらに、各ＬＥＤを１つだけ用いて説明したが、各ＬＥＤの個数は用途に応じた数だけ用いることが可能である。
また、上記各実施形態において、光源として固体光源であるＬＥＤを用いたが、半導体レーザや有機ＥＬ等を用いても良い。
また、上記各実施形態において、空間光変調装置として、透過型液晶ライトバルブを用いたが、反射型液晶ライトバルブ等を用いても良い。
【図面の簡単な説明】
【００６２】
【図１】本発明の第１実施形態に係るプロジェクタを示す概略図である。
【図２】本発明の第２実施形態に係るプロジェクタを示す概略図である。
【図３】本発明の第３実施形態に係るプロジェクタを示す概略図である。
【図４】図３における偏光変換光学素子を示す平面図である。
【図５】本発明の第４実施形態に係るプロジェクタを示す概略図である。
【図６】本発明の第５実施形態に係るプロジェクタを示す概略図である。
【図７】本発明の第６実施形態に係るプロジェクタを示す概略図である。
【符号の説明】
【００６３】
１，８０，９０，１００，１１０，１２０…プロジェクタ、１０…照明装置、１１Ｒ…Ｒ光用ＬＥＤ（光源）、１１Ｇ…Ｇ光用ＬＥＤ（光源）、１１Ｂ…Ｂ光用ＬＥＤ（光源）、２１，１２１…第１ロッドインテグレータ（導光素子）、２１ａ…第１ロッドインテグレータの入射面、２２，１２２…第２ロッドインテグレータ（導光素子）、２３…第３ロッドインテグレータ（導光素子）、２３ａ…第３ロッドインテグレータの入射面、２５，１２６…第１三角プリズム（光路変換素子）、２６…光分離用ダイクロイックプリズム（光路変換素子）、３１…第１ダイクロイックミラー（色分離素子）、３２…第２ダイクロイックミラー（色分離素子）、３３…第３ダイクロイックミラー（色分離素子）、４０Ｒ，４０Ｇ，４０Ｂ…透過型液晶ライトバルブ（空間光変調装置）、５０…ダイクロイックプリズム（色合成手段）、５０ａ…Ｇ光入射面、５０ｂ…Ｒ光入射面、５０ｃ…Ｂ光入射面、６０…投射レンズ（投射装置）、８１…第２三角プリズム（光路変換素子）、９１Ｂ…Ｂ光用偏光変換光学素子（偏光変換光学素子）、９１Ｇ…Ｇ光用偏光変換光学素子（偏光変換光学素子）、９１Ｒ…Ｒ光用偏光変換光学素子（偏光変換光学素子）
【図１】
2007041301.tif 000003
【図２】
2007041301.tif 000004
【図３】
2007041301.tif 000005
【図４】
2007041301.tif 000006
【図５】
2007041301.tif 000007
【図６】
2007041301.tif 000008
【図７】
2007041301.tif 000009